(57)【要約】【課題】  全てのスピーカから出力される音声や信号が、どの場所に設置されている送受話装置からのものかが位置情報表示手段を見れば、瞬時に特定できて、集中管理室等にいる職員が速やかにその事態に対処をすることができるページングシステムの提供を課題とする。【解決手段】  工場等の施設に敷設される通信線１には、相互に通話可能な複数個の送受話装置３とスピーカ４が分岐器２を介して接続されている。送受話装置３から出力される音声信号は、送受話装置３のスピーカ駆動スイッチを操作することにより、出力増幅装置５で増幅されて全てのスピーカ４から出力される。送受話装置３の使用状態を示す通信状態信号は、通信状態信号発生器６から、その送受話装置３固有のアドレス信号と共に通信線１に出力される。この通信状態信号は、検出器７によって検出され、位置情報表示器９に表示されている地図上にその出力位置が表示される。８は表示制御器である。【選択図】図１
2015050690.tif 000002
【特許請求の範囲】
【請求項１】
工場等の施設に敷設された通信線に、音声入力手段と音声出力手段とスピーカ駆動スイッチとを有する送受話装置が複数個接続され、且つ前記通信線に１以上のスピーカと当該スピーカの全てを駆動可能な出力増幅装置が接続され、複数個の前記送受話装置は通話状態においては相互に通話可能であり、且つそれぞれの前記送受話装置は前記スピーカ駆動スイッチを用いることにより前記スピーカの全ての駆動が随時可能であるページングシステムにおいて、
前記送受話装置には、その使用時において、当該送受話装置の特定が可能な当該送受話装置に固有のアドレス信号と、当該送受話装置の通信状態を示す通信状態信号とを前記通信線に出力する通信状態信号発生手段が配設され、
前記通信線には、通信状態表示装置が接続され、当該通信状態表示装置は、
前記通信線が敷設されている施設の構成を表わす地図を表示し、当該施設の前記送受話装置の設置場所に対応する前記地図上の位置に状態表示手段を有する位置情報表示手段と、
前記通信線から前記通信状態信号を検出する検出手段と、
該検出手段によって検出された前記通信状態信号に従って前記位置情報表示手段の前記状態表示手段の表示状態を制御する表示制御手段とを具えていることを特徴とするページングシステム。
【請求項２】
前記アドレス信号および前記通信状態信号は、前記送受話装置から出力される音声信号に多重化された形態の信号として、前記送受話装置の前記通信状態信号発生手段から前記通信線に出力されることを特徴とする請求項１に記載のページングシステム。
【請求項３】
前記位置情報表示手段および前記表示制御手段は、モニター付のパーソナルコンピュータによって構成されていることを特徴とする請求項１または請求項２に記載のページングシステム。
【発明の詳細な説明】
【技術分野】
【０００１】
本発明は、工場や発電所などのように広い敷地に建設されている施設内において、遠距離間の通話や連絡を行うことを目的として設置されるページングシステムに関するものである。
【背景技術】
【０００２】
従来から、工場や発電所などにおいて、遠距離間の通話や連絡を行うことができるシステムとして所謂「ページング（Ｐａｇｉｎｇ）システム」が既に使用されている。
【０００３】
このような従来のページングシステムの基本構成を図６に示す。
【０００４】
図６において、１は工場等の施設内に敷設されている通信線であり、この通信線１には、分岐器２を介して電話機のような送受話装置３が複数個接続されている。さらに、この通信線１には１個以上のスピーカ４が接続されている。図６に示すように、このスピーカ４は、分岐器２または送受話装置３を介して通信線１に接続されている。
【０００５】
５は、全てのスピーカ４の駆動が可能な出力増幅装置である。
【０００６】
図７は、送受話装置３の構成を示した斜視図である。
【０００７】
送受話装置本体３１には、通話用マイク３２ａと通話用スピーカ３２ｂを具えたハンドセット３２と、このハンドセット３２が使用中であるか否か（通話中であるか否か）が検出できるフックスイッチ３３が配設されている。
【０００８】
さらに、送受話装置本体３１には、スピーカ駆動スイッチ３４が配設されている。このスピーカ駆動スイッチ３４は、ハンドセット３２の通話用マイク３２ａから入力する音声を、図６に示す全てのスピーカ４から出力させるための拡声用スイッチ３４ａと、あらかじめ定められた信号音を全てのスピーカ４から出力させるための信号用スイッチ３４ｂという２種類のスイッチにより構成されている。
【０００９】
ここで、工場等の施設に敷設される図６に示す通信線１は、通常、図８に示すように３本のケーブル１１，１２，１３を１つに纏めたケーブル１０によって構成されている。この３本のケーブル１１，１２，１３はそれぞれ通話信号用ケーブル，スピーカ駆動信号用ケーブル，スピーカ駆動用ケーブルとして用いられるものである。ここで１０ａ，１１ａ，１２ａ，１３ａは電磁シールド線を表わしている。
【００１０】
以上のように構成された従来のページングシステムにおいては、例えば、図９に示したように、施設内の或る場所で火災を発見した職員４１は、ハンドセット３２をフックスイッチ３３から外して拡声用スイッチ３４ａを押した状態で「火災が発生しました」と通報すれば、施設内の全てのスピーカ４からその音声が出力される。そしてスピーカ４からその音声を聞いた別の場所にいる職員４２は、近くの送受話装置３のハンドセット３２をフックスイッチ３３から外すだけで遠距離にいる職員４１と通話することができる。
【００１１】
なお、事故の騒音その他で職員４１が通話が不可能と判断した場合には、職員４１はハンドセット３２を外さずに信号用スイッチ３４ｂを押すだけで、全てのスピーカ４から予め定められた信号音が出力されるので、緊急事態の発生を他の職員に通報することができる。
【発明の概要】
【発明が解決しようとする課題】
【００１２】
このように構成された、従来のページングシステムにおいては、以下のような問題が発生する虞があった。
【００１３】
すなわち、工場等の施設に勤務している職員ではなく、建設業者等の外部の作業員が火災等を発見した場合には、送受話装置３を用いて火災等の発生を通報する事はできるが、その施設の構成を詳しく知らない作業員の場合には火災等の発生場所を正確に特定して通報することができないという問題が発生する虞があった。
【課題を解決するための手段】
【００１４】
以上の問題を解消するために、本発明は工場等の施設に敷設された通信線に、音声入力手段と音声出力手段とスピーカ駆動スイッチとを有する送受話装置が複数個接続され、且つ前記通信線に１以上のスピーカと当該スピーカの全てを駆動可能な出力増幅装置が接続され、複数個の前記送受話装置は通話状態においては相互に通話可能であり、且つそれぞれの前記送受話装置は前記スピーカ駆動スイッチを用いることにより前記スピーカの全ての駆動が随時可能であるページングシステムにおいて、前記送受話装置には、その使用時において、当該送受話装置の特定が可能な当該送受話装置に固有のアドレス信号と、当該送受話装置の通信状態を示す通信状態信号とを前記通信線に出力する通信状態信号発生手段が配設され、前記通信線には、通信状態表示装置が接続され、当該通信状態表示装置は、前記通信線が敷設されている施設の構成を表わす地図を表示し、当該施設の前記送受話装置の設置場所に対応する前記地図上の位置に状態表示手段を有する位置情報表示手段と、前記通信線から前記通信状態信号を検出する検出手段と、該検出手段によって検出された前記通信状態信号に従って前記位置情報表示手段の前記状態表示手段の表示状態を制御する表示制御手段とを具えていることを特徴とするものである。
【００１５】
ここで、前記アドレス信号および前記通信状態信号は、前記送受話装置から出力される音声信号に多重化された形態の信号として、前記送受話装置の前記通信状態信号発生手段から前記通信線に出力されるように構成してもよい。
【００１６】
さらに、前記位置情報表示手段および前記表示制御手段は、モニター付のパーソナルコンピュータによって構成されていてもよい。
【発明の効果】
【００１７】
本発明によれば、工場等の施設の集中管理室等に位置情報表示手段を設置しておけば、全てのスピーカから出力される音声や信号が、どの場所に設置されている送受話装置からのものかが瞬時に特定できて、集中管理室等にいる職員が速やかにその事態に対処をすることができるページングシステムを提供することができる。
【図面の簡単な説明】
【００１８】
【図１】本発明の実施例１のシステム構成図である。
【図２】本発明の実施例１に係る送受話装置の構成の説明図である。
【図３】本発明の実施例１に係る通信状態信号の検出器の構成図である。
【図４】本発明の実施例１に係る位置情報表示器の表示例の説明図である。
【図５】本発明の実施例１に係る表示制御器が処理すべきプログラムの一例を示すフローチャートである。
【図６】従来のページングシステムのシステム構成図である。
【図７】従来のページングシステムの送受話装置の構成図である。
【図８】従来のページングシステムの通信線の断面構成を示す断面図である。
【図９】従来のページングシステムの説明図である。
【発明を実施するための形態】
【００１９】
以下、図面を用いて本発明の実施例を説明する。
【実施例１】
【００２０】
図１は、本発明の実施例１の構成を示すシステム構成図である。図１において、図６と同一符号のものは同一のものを示しているのでその説明は省略する。
【００２１】
図６に示した従来のページングシステムと本実施例１との異なる点は、本実施例１に係る送受話装置３には、それぞれ通信状態信号発生器６が配設されている点と、通信状態信号検出器７，表示制御器８，位置情報表示器９が配設されている点である。本実施例１においては表示制御器８および位置情報表示器９は、モニター付のパーソナルコンピュータによって構成されている。
【００２２】
図２は、送受話装置３に配設されている通信状態信号発生器６の構成を示した図である。
【００２３】
図２に示したように、通信状態信号発生器６は、フックスイッチ３３とスピーカ駆動スイッチ３４ａ，３４ｂとの状態を検出して通信状態信号を作成し、その通信状態信号発生器６が配設されている送受話装置３固有のアドレス信号を付加して出力するマイクロコンピュータ６１と、このマイクロコンピュータ６１の出力信号とハンドセット３２から入力する音声信号を多重化する信号多重回路６２とによって構成されている。本実施例においては、音声信号の帯域を３００Ｈｚ〜３．４ｋＨｚとし、マイクロコンピュータ６１の出力信号は帯域が約１００ｋＨｚのデジタル信号として通話信号用ケーブルに多重化して出力している。
【００２４】
ここで、通信状態信号は、フックスイッチ３３のＯＮ／ＯＦＦとスピーカ駆動スイッチのＯＮ／ＯＦＦとが判別できる形態の信号となっている。
【００２５】
図３は、通信状態信号の検出器７の構成を示した図である。
【００２６】
図３に示したように検出器７は、アドレス信号が付加された通信状態信号を音声信号から分離する信号分離回路７１と、分離されたアドレス信号が付加された通信状態信号を表示制御器８用の伝送信号に変換するマイクロコンピュータ７２とによって構成されている。
【００２７】
図４は、位置情報表示器９に表示される地図９１と位置情報表示ランプ９２の構成の一例を示したものである。
【００２８】
図４に示すように、位置情報表示器９には、本実施例１が設置されている施設の地図９１が表示されるとともに、その地図９１上の送受話装置３の設置場所に対応する位置に表示ランプ９２が配設されている。この表示ランプ９２は赤色と青色に点灯させることができるように構成されている。
【００２９】
表示ランプ９２の点灯およびその点灯色を制御する表示制御器８の動作の一例を図５のフローチャートを用いて説明する。
【００３０】
本実施例１では、いずれかの送受話装置３において、ハンドセット３２がフックスイッチ３３から外された場合、またはスピーカ駆動スイッチ３４が押された場合には、その送受話装置３からアドレス信号が付加された通信状態信号が出力されるので、表示制御器８はその出力を待って（ステップＳ１）、出力があった場合にはステップＳ２に進んで先ず、その出力のアドレス信号からアドレス情報を取得する。
【００３１】
次に、その出力の通信状態信号に従って送受話装置３の通信状態情報を取得する（ステップＳ３）。
【００３２】
次に、この通信状態情報からスピーカ駆動スイッチの状態を判断して（ステップＳ４）、スピーカ駆動スイッチ３４がＯＦＦ状態であればステップＳ５に進んで該当アドレスに対応している表示ランプ９２を青色に点灯させ、スピーカ駆動スイッチ３４がＯＮ状態であればステップＳ６に進んで該当アドレスに対応している表示ランプ９２を赤色に点灯させて手順を終了する。
【００３３】
以上のようにして、本実施例１においては、送受話装置３が使用中であれば、位置情報表示器９に表示されることになるので、この位置情報表示器９の表示を見ることによって、使用中の送受話装置３の配置場所を瞬時に知ることができる。
【００３４】
なお、図１に示したように、既設のページングシステムに通信状態信号発生器６，検出器７，表示制御器８，位置情報表示器９を配設すれば、既設のページングシステムを容易に本実施例１にすることができる。
【００３５】
さらに、本実施例１においては先に説明したように、表示制御器８および位置情報表示器９がモニター付のパーソナルコンピュータによって構成されているので、図５のステップＳ２で取得するアドレス情報とステップＳ３で取得する通信状態情報とを、その取得時刻と共にパーソナルコンピュータの記憶媒体に記憶させるように構成しておけば、必要なときには随時その記憶媒体のデータを呼び出すことにより、本実施例１に係るページングシステムにおける過去の送受話装置の通信状態を時系列的にパーソナルコンピュータのモニター上に表示させることができるようにすることができる。
【符号の説明】
【００３６】
１  通信線
２  分岐器
３  送受話装置
４  スピーカ
５  出力増幅装置
６  通信状態信号発生器
７  検出器
８  表示制御器
９  位置情報表示器
１０〜１３  ケーブル
１０ａ〜１３ａ  電磁シールド線
３１  送受話装置本体
３２  ハンドセット
３２ａ  通話用マイク
３２ｂ  通話用スピーカ
３３  フックスイッチ
３４  スピーカ駆動スイッチ
３４ａ  拡声用スイッチ
３４ｂ  信号用スイッチ
４１，４２  職員
６１，７１  マイクロコンピュータ
６２  信号多重回路
７２  信号分離回路
９１  地図
９２  表示ランプ
Ｓ１〜Ｓ６  ステップ
【図１】
2015050690.tif 000003
【図２】
2015050690.tif 000004
【図３】
2015050690.tif 000005
【図４】
2015050690.tif 000006
【図５】
2015050690.tif 000007
【図６】
2015050690.tif 000008
【図７】
2015050690.tif 000009
【図８】
2015050690.tif 000010
【図９】
2015050690.tif 000011